(57)【要約】【課題】「社交的距離のマナー」を保ちながら携帯端末所持者と対話相手の明瞭な音質を確保し、正確な音声翻訳の効果を得られる携帯端末即時音声翻訳に用いる改良型マイクロホン装置を提供すること。【解決手段】左右のマイクロホンＢＰｌｌ、ＢＰ２１及びマイクロホンカバーＢ０１０、Ｂ０３０が空心管Ｂ０２０の両側端部に設置され、空心管Ｂ０２０を穿通するワイヤＷでマイクロホンＢＰｌｌ、ＢＰ２１とエレクトレットコンデンサＰＣＢアセンブリ０５０が接続され、エレクトレットコンデンサＰＣＢアセンブリ０５０が携帯端末に接続可能なプラグ０５１を備え、ＰＣＢアセンブリ前カバーＢ０６０とＰＣＢアセンブリ後ろカバーＢ０７０を閉じ合わせることで、エレクトレットコンデンサＰＣＢアセンブリ０５０を覆う外殻が形成される。【選択図】図２
0003216276.tif 000002
【実用新案登録請求の範囲】
【請求項１】
携帯端末即時音声翻訳に用いる改良型マイクロホン装置であって、１組の左右各１個のマイクロホン及びマイクロホンカバーと、空心管と、エレクトレットコンデンサＰＣＢアセンブリを含み、
前記１組の左右各１個のマイクロホン及びマイクロホンカバーが、前記空心管の両側端部にそれぞれ設置され、
前記空心管に穿通したワイヤによって前記左右各１個のマイクロホンと前記エレクトレットコンデンサＰＣＢアセンブリとが接続され、
前記エレクトレットコンデンサＰＣＢアセンブリが、携帯端末に接続可能なプラグ、及び、１組のＰＣＢアセンブリ前カバーとＰＣＢアセンブリ後ろカバーを備え、前記ＰＣＢアセンブリ前カバーとＰＣＢアセンブリ後ろカバーを互いに閉じ合わせることで、前記エレクトレットコンデンサＰＣＢアセンブリを覆う外殻が形成されることを特徴とする、携帯端末即時音声翻訳に用いる改良型マイクロホン装置。
【請求項２】
前記空芯管と前記エレクトレットコンデンサＰＣＢアセンブリ間に伝送ケーブルを設置し、該伝送ケーブルの内部のワイヤによって前記左右各１個のマイクロホンとエレクトレットコンデンサＰＣＢアセンブリとが接続されていることを特徴とする、請求項１に記載の携帯端末即時音声翻訳に用いる改良型マイクロホン装置。
【請求項３】
衣服クリップに嵌合可能であることを特徴とする、請求項１に記載の携帯端末即時音声翻訳に用いる改良型マイクロホン装置。
【考案の詳細な説明】
【技術分野】
【０００１】
本考案は、携帯端末上のマイクロホンをオフにして、携帯端末の充電コネクタに挿入するだけで使用することができる、携帯端末即時音声翻訳に用いる改良型マイクロホン装置に関する。
【背景技術】
【０００２】
スマートフォンとそのアプリケーションソフトウェアの急速な発展に伴い、携帯電話に用いるモバイル設備の市場発展性と創造潜在性が注目されるようになった。この結果、多くの周辺製品が生み出されており、携帯端末外付けマイクロホンもその１つである。
【０００３】
従来の携帯端末用マイクロホンは、その多くが単一方向に設置された単一指向性のマイクロホンであり、あるいは体積が大きすぎ、組み立てが複雑である。
単一指向性のマイク部を採用したマイクロホンは、即時音声翻訳に応用するとき、最善の効果を発揮するには、マイクロホンの方向を調整して、音声を収録する人にマイクロホンの位置を合わせる必要があり、しかも、携帯端末を持っている人と対話相手の距離が遠すぎてはならず、さもないと周辺の騒音が入りやすくなり、音声翻訳の品質に影響する。しかし、双方の距離が近すぎても相手に失礼となる。
体積が大きすぎるマイクロホンは、使用過程において、一部携帯端末のイヤホン孔またはスピーカー孔が塞がれ、その機能の正常な使用に影響し、イヤホンを相手の耳に挿入する場合も、複数の人が使用すると、細菌感染を引き起こしやすく、適切とは言えない。
【考案の概要】
【考案が解決しようとする課題】
【０００４】
本考案が解決しようとする課題は、上述の問題を解決し、「社交的距離のマナー」を保ちながら携帯端末所持者と対話相手の明瞭な音質を確保し、正確な音声翻訳の効果を得られる携帯端末即時音声翻訳に用いる改良型マイクロホン装置を提供することにある。
【課題を解決するための手段】
【０００５】
本考案の携帯端末即時音声翻訳に用いる改良型マイクロホン装置は、１組の左右各１個のマイクロホン及びマイクロホンカバーと、空心管と、エレクトレットコンデンサＰＣＢアセンブリを含み、前記１組の左右各１個のマイクロホン及びマイクロホンカバーが、前記空心管の両側端部にそれぞれ設置され、前記空心管に穿通したワイヤによって前記左右各１個のマイクロホンと前記エレクトレットコンデンサＰＣＢアセンブリとが接続され、前記エレクトレットコンデンサＰＣＢアセンブリが、携帯端末に接続可能なプラグ、及び、１組のＰＣＢアセンブリ前カバーとＰＣＢアセンブリ後ろカバーを備え、前記ＰＣＢアセンブリ前カバーとＰＣＢアセンブリ後ろカバーを互いに閉じ合わせることで、前記エレクトレットコンデンサＰＣＢアセンブリを覆う外殻が形成される。
【０００６】
前記空芯管と前記エレクトレットコンデンサＰＣＢアセンブリ間に伝送ケーブルを設置し、該伝送ケーブルの内部のワイヤによって前記左右各１個のマイクロホンとエレクトレットコンデンサＰＣＢアセンブリとが接続されることがある。
衣服クリップに嵌合可能としてもよい。
【考案の効果】
【０００７】
本考案によれば、携帯端末によって即時音声翻訳を行う際に、マイクロホンの方向を調整するという煩雑な手間をかけることなく、携帯端末を持っている人と対話相手との間を遠すぎず、近すぎない距離に保ちながら、明瞭な音質を確保することができ、この結果、正確な音声翻訳を行うことが可能となる。
【図面の簡単な説明】
【０００８】
【図１】本考案の実施例を示す携帯端末即時音声翻訳に用いる改良型マイクロホン装置の斜視図である。
【図２】本考案の実施例を示す携帯端末即時音声翻訳に用いる改良型マイクロホン装置の分解斜視図である。
【図３】本考案の実施例を示す携帯端末即時音声翻訳に用いる改良型マイクロホン装置の携帯端末装着時における斜視図である。
【図４】本考案の実施例を示す携帯端末即時音声翻訳に用いる改良型マイクロホン装置の衣服クリップ取付時における斜視図である。
【図５】本考案の実施例を示す携帯端末即時音声翻訳に用いる改良型マイクロホン装置のアナログ信号出力回路ブロック図である。
【図６】本考案の実施例を示す携帯端末即時音声翻訳に用いる改良型マイクロホン装置のデジタル信号出力回路ブロック図である。
【考案を実施するための形態】
【０００９】
以下、本考案の実施例を図面に基づいて詳細に説明する。
図１と図２に、本考案の携帯端末即時音声翻訳に用いる改良型マイクロホン装置であるエレクトレットコンデンサマイクロホン装置Ｂ０１の斜視図と分解斜視図をそれぞれ示す。
エレクトレットコンデンサマイクロホン装置Ｂ０１は、主に、マイク前カバーＢ１０と、単一指向性マイクロホンＢＰ２１と、空心管Ｂ０２０と、マイク後ろカバーＢ０３０と、単一指向性マイクロホンＢＰｌｌと、伝送ケーブルＢ０４０と、エレクトレットコンデンサＰＣＢアセンブリ０５０を含む。
【００１０】
空心管Ｂ０２０には伝送ケーブルＢ０４０が接続され、空心管Ｂ０２０の両端にはマイク前カバーＢ０１０、マイク後ろカバーＢ０３０が被着される。
マイク前カバーＢ０１０は単一指向性マイクロホンＢＰ２１を覆い、空心管Ｂ０２０の一端に緊密に固定される。
マイク後ろカバーＢ０３０は、別の単一指向性マイクロホンＢＰｌｌを覆い、空心管Ｂ０２０の他端に緊密に固定される。
【００１１】
伝送ケーブルＢ０４０は、上端部の空心管Ｂ０２０と下端部のエレクトレットコンデンサＰＣＢアセンブリ０５０に接続され、双方（携帯端末を持っている人と対話相手）の会話の音質をより明瞭にするとともに、騒音を排除する効果を高めるために用いられる。
また、伝送ケーブルＢ０４０の両端にそれぞれストレインリリーフ（ＳＲ）Ｂ０４２、Ｂ０４３が設置され、これらストレインリリーフ（ＳＲ）Ｂ０４２、Ｂ０４３がそれぞれ空心管Ｂ０２０及びエレクトレットコンデンサＰＣＢアセンブリ０５０に取り付けられる。
伝送ケーブルＢ０４０の内部のワイヤＷは、空心管Ｂ０２０に穿通されて、マイクロホンＢＰｌｌ、ＢＰ２１とエレクトレットコンデンサＰＣＢアセンブリ０５０に半田付けされる。
【００１２】
エレクトレットコンデンサＰＣＢアセンブリ０５０は、プラグ０５１、及び、１組のＰＣＢアセンブリ前カバーＢ０６０とＰＣＢアセンブリ後ろカバーＢ０７０を備えている。
ＰＣＢアセンブリ前カバーＢ０６０とＰＣＢアセンブリ後ろカバーＢ０７０は、互いに閉じ合わすことでエレクトレットコンデンサＰＣＢアセンブリ０５０を覆う外殻となり、この外殻からプラグ０５１の先端部が突出する。
【００１３】
図３に示すように、エレクトレットコンデンサマイクロホン装置Ｂ０１は、プラグ０５１を携帯端末Ａに挿入して使用することができる。
また、図４に示すように、エレクトレットコンデンサマイクロホン装置Ｂ０１を衣服クリップＣに嵌合し、衣服に取り付けて使用することもできる。この製品はインタビューでの使用に適している。
【００１４】
図５、図６は、それぞれ本考案の改良型マイクロホン装置のアナログ信号出力回路ブロック図及びデジタル信号出力回路ブロック図である。
この改良型マイクロホン装置は、エレクトレットコンデンサ（ＣＯＮＤＥＮＳＥＲ）マイクロホン、マイクロプロセッサ／信号処理装置（ＣＰＵ／ＤＳＰ）及びＴｙｐｅ  ＣやＬｉｇｈｔｎｉｎｇなどのプラグで構成される。
マイクロホンの信号がアナログデジタル変換器（ＡＤＣ）によりデジタル信号に変換されてマイクロプロセッサ（ＣＰＵ）に入力される。マイクロプロセッサ（ＣＰＵ）は信号処理ユニント（ＤＳＰ）を備え、信号中の環境ノイズを除去し、高品質の信号を得て出力することができる。この出力信号はアナログ信号またはデジタル信号に設定することができ、具体的には携帯端末によって決まる。
【００１５】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１６】
Ｂ０１０  マイク前カバー
ＢＰｌｌ、ＢＰ２１  単一指向性マイクロホン
Ｂ０２０  空心管
Ｂ０８０  マイク後ろカバー
Ｂ０４０  伝送ケーブル
Ｂ０４２、  Ｂ０４３  ＳＲ（ストレインリリーフ）
０５０  エレクトレットコンデンサＰＣＢアセンブリ
０５１  プラグ
Ｂ０６０  ＰＣＢアセンブリ前カバー
Ｂ０７０  ＰＣＢアセンブリ後ろカバー
Ｗ  ワイヤ
Ｃ  衣服クリップ
【図１】
0003216276.tif 000003
【図２】
0003216276.tif 000004
【図３】
0003216276.tif 000005
【図４】
0003216276.tif 000006
【図５】
0003216276.tif 000007
【図６】
0003216276.tif 000008